(57)【特許請求の範囲】
【請求項１】
相対する両端にそれぞれシンクの相対両側に跨るためのブリッジ脚を突出した籠体と、
第１端が該籠体上に枢着し、第２端が押え端となる、留め部を設けたキッチン用ごみ袋留め板と、を含み、該留め部を該籠体上に固定させる時、該押え端は、該籠体に貼合し、キッチン用ごみ袋の袋口を密封することに用いられる、シンクの多機能排水籠。
【請求項２】
前記籠体が、第１板体と、第２板体と、該第１、第２板体の第１端間に枢着される第３板体と、該第１、第２板体の第２端間に枢着される第４板体と、該第１、第２板体の底端間に枢着される底板と、を含み、該第３、第４板体と該底板は、それぞれ少なくとも１つの折れ部を設け、該第３、第４板体と該底板を各該折れ部に従って折り畳ませ、該第１板体を該第２板体方向へ寄せることができる、請求項１に記載のシンクの多機能排水籠。
【請求項３】
前記第１、第２、第３、第４板体は、該底板と一体に成型され、該第３板体と該第１、第２板体の接続箇所、該第４板体と該第１、第２板体の接続箇所および該底板と該第１、第２板体の接続箇所に、それぞれ屈曲可能な折れ辺を形成させる、請求項２に記載のシンクの多機能排水籠。
【請求項４】
前記第３板体の両端が、それぞれピボット軸により、該第１、第２板体間に枢着され、該第４板体の両端は、それぞれピボット軸により該第１、第２板体間に枢着され、該底板の両端は、それぞれピボット軸により、該第１、第２板体の底端間に枢着される、請求項２に記載のシンクの多機能排水籠。
【請求項５】
前記キッチン用ごみ袋留め板は、該籠体と一体に成型され、該キッチン用ごみ袋留め板と該籠体の接続箇所に折れ辺を形成させ、該キッチン用ごみ袋留め板を該折れ辺に従って枢動させることができる、請求項１に記載のシンクの多機能排水籠。
【請求項６】
前記キッチン用ごみ袋留め板及び該籠体の間がピボット軸により枢着され、該キッチン用ごみ袋留め板を該ピボット軸に従って枢動させることができる、請求項１に記載のシンクの多機能排水籠。
【請求項７】
前記籠体は、該キッチン用ごみ袋留め板に対応する領域に穴を設け、該キッチン用ごみ袋の袋口を該穴から入れた後に該キッチン用ごみ袋留め板の押え端と該籠体の間に置かせる、請求項１に記載のシンクの多機能排水籠。
【請求項８】
前記底板に少なくとも１つの第１嵌合部を設け、該第３板体又は第４板体上に少なくとも第２嵌合部を設け、該第１、第２嵌合部を該籠体の展開時に互いに嵌合させ、該籠体に安定した展開状を呈させる、請求項２に記載のシンクの多機能排水籠。
【請求項９】
貯水させる水入れ領域を含む水入れ本体を更に含み、該水入れ本体は、複数のフック部を設け、該フック部に該籠体に引っ掛けさせ、該水入れ領域に該籠体の底部及び周囲を包囲させる、請求項１に記載のシンクの多機能排水籠。
【請求項１０】
前記第１、第２板体を相互に寄せる時、該第３、第４板体は、該第１、第２板体の間に折り畳まれ、該底板は、該第１、第２板体の下方に折り畳まれる、請求項２に記載のシンクの多機能排水籠。
【発明の詳細な説明】
【技術分野】
【０００１】
本発明は、シンクの多機能排水籠に関する。
【背景技術】
【０００２】
食後に食器を洗う時、余計なキッチンごみが生じることは避け難く、通常はビニール袋で包むが、包んだ後のビニール袋は、適切に密封されず、蚊やハエなどの虫を発生し易く、適当な置き場所もなく、困難を招くほか、家屋の衛生状態にも影響を及ぼす。
【０００３】
キッチンでは食器を乾燥させるための排水籠が常用され、本願の出願人が以前に出願した発明出願番号第１０７１０４８６４号に開示されている「シンク折りたたみ排水籠」は、使用者は、排水籠を折り畳んだ後にシンクの傍らに跨いで設置し、排水籠の占有空間を減縮し、従来の一体式排水籠の占有空間の問題を解決できるが、上記排水籠は、使用者に単一の排水機能しか提供できず、製品の付加価値を高めることができず、改善する必要がある。尚、台湾発明出願番号第１０７１０４８６４号は、既に特許査定されており、２０１９年１０月１１日に公告されている。
【０００４】
本発明者は、これに鑑み、研究を行い、キッチン用ごみ袋を密封して吊り下げさせることができるシンクの多機能排水籠を開示し、使用者がキッチン用ごみ袋を密封できず、置き場所がないという問題を解決し、物品を洗浄させることができ、これにより、排水籠の機能及び付加価値を向上させている。
【発明の概要】
【発明が解決しようとする課題】
【０００５】
本発明の目的は、相対する両端にそれぞれシンクの相対両側に跨るためのブリッジ脚を突出した籠体と、第１端が該籠体上に枢着し、第２端が押え端となる、留め部を設けたキッチン用ごみ袋留め板と、を含み、該留め部を該籠体上に固定させる時、該押え端は、該籠体に貼合し、キッチン用ごみ袋の袋口を密封ことに用いられる、シンクの多機能排水籠を提供することにある。
【課題を解決するための手段】
【０００６】
本発明が開示するシンクの多機能排水籠は、該籠体が、第１板体と、第２板体と、該第１、第２板体の第１端間に枢着される第３板体と、該第１、第２板体の第２端間に枢着される第４板体と、該第１、第２板体の底端間に枢着される底板と、を含み、該第３、第４板体と該底板は、それぞれ少なくとも１つの折れ部を設け、該第３、第４板体と該底板を各該折れ部に従って折り畳ませ、該第１板体を該第２板体方向へ寄せることができる。
【０００７】
本発明が開示するシンクの多機能排水籠は、該第１、第２、第３、第４板体は、該底板と一体に成型され、該第３板体と該第１、第２板体の接続箇所、該第４板体と該第１、第２板体の接続箇所および該底板と該第１、第２板体の接続箇所に、それぞれ屈曲可能な折れ辺を形成させる。
【０００８】
本発明が開示するシンクの多機能排水籠は、該第３板体の両端が、それぞれピボット軸により、該第１、第２板体間に枢着され、該第４板体の両端は、それぞれピボット軸により該第１、第２板体間に枢着され、該底板の両端は、それぞれピボット軸により、該第１、第２板体の底端間に枢着される。
【０００９】
本発明が開示するシンクの多機能排水籠は、該キッチン用ごみ袋留め板は、該籠体と一体に成型され、該キッチン用ごみ袋留め板と該籠体の接続箇所に折れ辺を形成させ、該キッチン用ごみ袋留め板を該折れ辺に従って枢動させることができる。
【００１０】
本発明のシンクの多機能排水籠は、該キッチン用ごみ袋留め板及び該籠体の間が軸により枢着され、該キッチン用ごみ袋留め板を該軸に従って枢動させることができる。
【００１１】
本発明のシンクの多機能排水籠は、該籠体は、該キッチン用ごみ袋留め板に対応する領域に穴を設け、該キッチン用ごみ袋の袋口を該穴から入れた後に該キッチン用ごみ袋留め板の押え端と該籠体の間に置かせる。
【００１２】
本発明のシンクの多機能排水籠は、該底板に少なくとも１つの第１嵌合部を設け、該第３板体又は第４板体上に少なくとも第２嵌合部を設け、該第１、第２嵌合部を該籠体の展開時に互いに嵌合させ、該籠体に安定した展開状を呈させる。
【００１３】
本発明のシンクの多機能排水籠は、該ブリッジ脚は、伸縮可能なロッド体である。
【００１４】
本発明のシンクの多機能排水籠は、該第１、第２板体を相互に寄せる時、該第３、第４板体は、該第１、第２板体の間に折り畳まれ、該底板は、該第１、第２板体の下方に折り畳まれる。
【００１５】
本発明のシンクの多機能排水籠は、水入れ本体を更に含み、該水入れ本体は、水入れ領域を含み、内部に貯水させ、該水入れ領域に該籠体の底部及び周囲を安定して包囲させ、本発明の籠体に貯水機能をもたせ、使用者に籠体内で野菜果物やその他の物品を洗わせ、洗った後に該水入れ本体を取り外して、洗ったものを乾燥させる。上記の水入れ本体は、複数のフック部を設け、該フック部を該籠体に引っ掛け、該水入れ領域に該籠体の底部及び周囲を包囲させるが、本発明は、該水入れ本体と該籠体を固定又はフックする方式を制限しない。
【発明の効果】
【００１６】
本発明が開示するシンクの多機能排水籠は、平常時に該第３、第４板体及び底体を折り畳むことによって、該第１板体を該第２板体へ寄せ、シンクの一側へ押しやり、シンクの空間を完全に占有せず、本発明の排水籠上のキッチン用ごみ袋留め板によってキッチン用ごみ袋の袋口を密封し、蚊やハエなどの虫が発生することを回避する以外に、該キッチン用ごみ袋が密封され、排水籠に吊るされ、排水があってもシンク内に落ち、家屋の衛生に影響を及ぼすことを回避できる。
【図面の簡単な説明】
【００１７】
【図１】本発明の構造の説明図である。
【図２】本発明の図１の状態から該籠体を折りたたみ、キッチン用ごみ袋を挟持する説明図である。
【図３】本発明の第２実施例の立体図である。
【図４】キッチン用ごみ袋の袋口を図３に示す実施例に取り付ける説明図である。
【図５】図３は、符合５でマークする領域の拡大図である。
【図６】図４の状態から該キッチン用ごみ袋を堅く挟む説明図である。
【図７】図３に示す実施例の折り畳み後の説明図である。
【図８】図３の実施例の折りたたんで挟持したキッチン用ごみ袋をシンク上に跨いで設置した説明図である。
【図９】本発明の籠体外に水入れ本体を固定設置する分解説明図である。
【図１０】該水入れ本体が籠体外周に固定設置された説明図である。
【発明を実施するための形態】
【００１８】
図１〜図３を参照し、本発明のシンクの多機能排水籠は、相対する両端にそれぞれシンクＳの相対両側Ｓ１，Ｓ２に跨るためのブリッジ脚１６を突出した籠体１０と、第１端２１が該籠体１０上に枢着し、第２端が押え端２２を定義し、留め部２２１を設けた少なくとも１つのキッチン用ごみ袋留め板２０と、を含み、該留め部２２１を該籠体１０上に固定させる時、該押え端２２は、該籠体１０に貼合し、キッチン用ごみ袋３０の袋口３１を堅く挟むことに用いられる。
【００１９】
図１、図３に示すように、本発明が開示するシンクの多機能排水籠は、該籠体１０が、第１板体１１と、第２板体１２と、該第１、第２板体１１，１２の第１端１１ａ，１２ａ間に枢着される第３板体１３と、該第１、第２板体１１，１２の第２端１１ｂ、１２ｂ間に枢着される第４板体１４と、該第１、第２板体１１，１２の底端間に枢着される底板１５と、を含み、該第３、第４板体１３，１４と該板体１５は、それぞれ少なくとも１つの折れ部１３１，１４１，１５１を設け、該第３、第４板体１３，１４と該底板１５を各該折れ部１３１，１４１，１５１に従って折り畳ませ、該第１板体１１を該第２板体１２方向へ寄せることができる。
【００２０】
図１に示すように、本発明が開示するシンクの多機能排水籠は、該第３板体１３の両端が、それぞれピボット軸１３２ａ，１３２ｂにより、該第１、第２板体１１，１２間に枢着され、該第４板体１４の両端は、それぞれピボット軸１４２ａ，１４２ｂにより該第１、第２板体１１，１２間に枢着され、該底板１５の両端は、それぞれピボット軸１５２ａ，１５２ｂにより、該第１、第２板体１１，１２の底端間に枢着される。
【００２１】
図３に示すように、本発明が開示するシンクの多機能排水籠は、該籠体は、プラスチック材料で一体に成型されることができ、即ち、該第１、第２、第３、第４板体１１，１２，１３，１４は、該底板１５と一体に成型され、該第３板体１３と該第１、第２板体１１，１２の接続箇所、該第４板体１４と該第１、第２板体１１，１２の接続箇所および該底板１５と該第１、第２板体１１，１２の接続箇所に、それぞれ屈曲可能な折れ辺１３ａ，１３ｂ，１４ａ，１４ｂ，１５ａ，１５ｂを形成させる。
【００２２】
しかしながら、本発明は、該第３、第４板体１３，１４又は該底板１５が該第１、第２板体１１，１２に枢着する形式又は構造に限定するものではない。
【００２３】
図３に示すように、本発明が開示するシンクの多機能排水籠は、該キッチン用ごみ袋留め板２０の第１端２１は、該籠体１０と一体に成型され、該キッチン用ごみ袋留め板２０の第１端と該籠体１０の接続箇所に折れ辺を形成させ、該キッチン用ごみ袋留め板２０を該折れ辺に従って屈曲させることができる。
【００２４】
図１に示すように、本発明のシンクの多機能排水籠は、該キッチン用ごみ袋留め板２０の第１端２１及び該籠体１０の間がピボット軸１５２ａ，１５２ｂにより枢着され、該キッチン用ごみ袋留め板２０を該ピボット軸１５２ａ，１５２ｂに従って枢動させることができる。
【００２５】
しかしながら、本発明は、上記キッチン用ごみ袋留め板２０の第１端２１と該籠体１０の間の枢着方式を制限するものではない。
【００２６】
図４に示すように、本発明のシンクの多機能排水籠は、該籠体１０は、該キッチン用ごみ袋留め板２０に対応する領域又は該キッチン用ごみ袋留め板２０上に穴１７を設け、該キッチン用ごみ袋３０の袋口３１を該穴１７から入れた後に該キッチン用ごみ袋留め板２０の押え端２２と該籠体１０の間に置かせる。該キッチン用ごみ袋留め板２０の留め部２２１と該籠体１０とを相互に固定させる時、該押え端２２及び該籠体１０は、図６に示すように、該キッチン用ごみ袋３０の袋口３１を堅く挟み、該袋口３１を密封できる。
【００２７】
図３、図４、図５に示すように、本発明のシンクの多機能排水籠は、該底板１５に少なくとも１つの第１嵌合部１５３を設け、該第３板体１３又は第４板体１４上に少なくとも第２嵌合部１３３又は１４３を設け、該第１嵌合部１５３及び該第２嵌合部１３３又は１４３を該籠体１９の展開時に互いに嵌合させ、該籠体１０に安定した展開状を呈させる。図５に示すように、該第２嵌合部１３３／１４２上に、凸部１３３ａ／１４３ａを更に設け、該第１嵌合部１５３の外縁に弾性的に嵌合し、該底板１５を安定して嵌合し、本発明に安定した展開状態を呈させる（図３、図４参照）。
【００２８】
本発明のシンクの多機能排水籠は、該籠体１０の第１、第２、第３、第４板体１１，１２，１３，１４又は該底板１５に複数の排水口１５４を設けるが、該第１、第２、第３、第４板体１１，１２，１３，１４又は該底板１５を網板として製造することができるが、本発明は、これに制限するものではない。
【００２９】
本発明のシンクの多機能排水籠は、該ブリッジ脚１６が伸縮可能なロッド体又は固定された凸耳であることができるが、本発明は、これに制限するものではない。
【００３０】
図２、図７、図８に示すように、本発明のシンクの多機能排水籠は、該第１、第２板体１１，１２を相互に寄せる時、該第３、第４板体１３，１４は、該第１、第２板体１１，１２の間に折り畳まれ、該底板１５は、該第１、第２板体１１，１２の下方に折り畳まれる。該第１、第２板体１１，１２を寄せる距離を減縮し、本発明の折り畳み後に占有空間を更に薄く低減することができる。
【００３１】
図９、図１０に示すように、本発明のシンクの多機能排水籠は、水入れ本体４０を更に含み、該水入れ本体４０は、水入れ領域４１を含み、内部に貯水させ、該水入れ領域４１に該籠体１０の底部及び周囲を安定して包囲させ、使用者が該水入れ本体４０の水入れ領域４１により、該籠体１０中に貯水でき、洗いたい物品、食物を籠体１０に入れて洗うことができ、洗った後に該水入れ本体４０を取り外し、籠体１０中の物品又は食物を乾燥させることができる。上記の水入れ本体４０は、複数のフック部４２を設け、該フック部４２を該籠体１０に引っ掛け、該水入れ領域４１に該籠体１０の底部及び周囲を包囲させる。上記の該水入れ本体は、金属、プラスチック又はシリコーン等の材質で製造できるが、本発明はこれについて制限するものではない。
【００３２】
本発明が開示するシンクの多機能排水籠は、簡単な構造によって、元々排水機能しか有していなかった排水籠にキッチン用ごみ袋３０の袋口を堅く挟ませ、物品を洗う機能をもたせ、キッチン用ごみ袋をシンクに吊るすことができ、家屋にキッチン用ごみ袋を置く場所がない困難を解決し、キッチン用ごみ袋の袋口が密封されずに蚊、ハエが発生し易い困難を解決し、家屋の衛生を改善する。また、本発明は、該籠体１０外に水入れ本体４０を加える時、該籠体１０に洗いと排水の機能をもたせ、一つのもので多くの用途をもたせる。
【００３３】
本発明に開示された構造および形状は、本発明の精神および範囲から逸脱することなく修正および適用することができ、本発明は上記の実施形態に限定されない。
【符号の説明】
【００３４】
１０  籠体
１１  第１板体
１１ａ  第１端
１１ｂ  第２端
１２  第２板体
１２ａ  第１端   
１２ｂ  第２端
１３  第３板体
１３ａ、１３ｂ  折れ辺
１３１  折れ部
１３２ａ、１３２ｂ  ピボット軸
１３３  第２嵌合部
１３３ａ  凸部
１４  第４板体
１４ａ１４ｂ  折れ辺
１４１  折れ部
１４２ａ、１４２ｂ  ピボット軸
１４３  第２嵌合部
１４３ａ  凸部
１５  底板
１５ａ、１５ｂ  折れ辺
１５１  折れ部
１５２ａ、１５２ｂ  ピボット軸
１５３  第１嵌合部
１５４  排水口
１６  ブリッジ脚
１７  穴
２０  キッチン用ごみ袋留め板
２１  第１端
２２  押え端
２２１  留め部
３０  キッチン用ごみ袋
３１  袋口
４０  水入れ本体
４１  水入れ領域
４２  フック部
Ｓ  シンク
Ｓ１、Ｓ２  両側
【要約】      （修正有）【課題】キッチン用ごみ袋が堅く挟まれ、排水籠に吊るされ、廃水があってもシンク内に落ち、家屋の衛生に影響を及ぼすことを回避できるシンクの多機能排水籠を提供する。【解決手段】相対する両端にそれぞれシンクの相対両側に跨るためのブリッジ脚１６を突出した籠体１０と、第１端１１ａが籠体上に枢着し、第２端１１ｂが押え端を定義し、留め部２２１を設けたキッチン用ごみ袋留め板２０と、を含み、留め部を該籠体上に固定させる時、押え端は、籠体に貼合し、キッチン用ごみ袋の袋口を堅く挟むことができ、キッチン用ごみ袋を密封して吊り下げる機能を有する。【選択図】図１【図１】
0006823122.tif 000002
【図２】
0006823122.tif 000003
【図３】
0006823122.tif 000004
【図４】
0006823122.tif 000005
【図５】
0006823122.tif 000006
【図６】
0006823122.tif 000007
【図７】
0006823122.tif 000008
【図８】
0006823122.tif 000009
【図９】
0006823122.tif 000010
【図１０】
0006823122.tif 000011